(57)【要約】      （修正有）【課題】焼却時にＣＯ２の排出が少なく、剛性を上げて植木鉢等に差し込んだ際に折れ曲がりにくい印刷可能な園芸用ラベルを提供する。【解決手段】表面にコロナ放電処理を施した合成樹脂製フィルム１またはシートに、炭酸カルシウムをはじめとする無機鉱物粉末を５５〜８５重量％含有した合成紙シート２をドライラミネートにより積層してなる園芸用ラベル、および、該合成樹脂フィルムの表面にインクジェットプリンター等での印刷が可能なコーティング層３を設けてなる該園芸用ラベル。【選択図】図３
0003142341.tif 000002
【実用新案登録請求の範囲】
【請求項１】
表面にコロナ放電処理を施した合成樹脂製フィルムまたはシートに、炭酸カルシウムをはじめとする無機鉱物粉末を５５〜８５重量％含有した合成紙シートをドライラミネートにより積層したことを特徴とする園芸用ラベル。
【請求項２】
表面にインクジェットプリンター等での印刷が可能なコーティング層を設けた請求項１記載の園芸用ラベル。
【考案の詳細な説明】
【技術分野】
【０００１】  本考案は、植木鉢等の園芸用容器に用いられる園芸用ラベルに関する。
【背景技術】
【０００２】  鉢植えの植物を販売する際、その植物の表示は写真や植物名が印刷されたラベルが添付されているのが一般的である。中でも、土に差し込まれる、あるいは容器の周縁内側にステイプラー等で取り付けられたラベルは広く知られている。水分を含んだ土と接触し、散水や雨水などに濡れるラベルは、そのほとんどが合成樹脂製であり、とりわけ合成紙と呼ばれる乳白色の合成樹脂製シートに印刷されたものが広く利用されている。
ところで、近年は消費者や企業において環境保全への意識が高く、プラスチック製品についても環境に配慮したものへの需要が高い。特に、京都議定書をはじめとする国際的なＣＯ２排出抑制が叫ばれる世の中において、不要になった際の焼却時にＣＯ２の排出が削減される商品が求められている。
一方、合成紙に直接印刷を施すラベルは従来より広く普及しているが、合成紙製のラベルはポリエステルなどの合成樹脂製ラベルに比べて剛性が低く、ラベルが折れ曲がり易いという欠点がある。そこで、剛性を高めるために合成紙の厚みを必要以上に上げざるを得ず、材料コストが高くつく上に印刷加工などが困難となる。
【考案の開示】
【考案が解決しようとする課題】
【０００３】  本考案は、上記問題点の解決を図り、焼却時にＣＯ２の排出量が削減される上、必要最小限の厚みで剛性を得られる合成樹脂製園芸用ラベルを提供することを目的とする。
【課題を解決するための手段】
【０００４】  本考案者は、炭酸カルシウムをはじめとする無機鉱物粉末の含有量が多い合成紙シート（以下、合成紙という）は、従来の合成紙に比べて安価で、燃焼時にＣＯ２の排出量が削減されるということに着目し、この合成紙に剛性の高い合成樹脂フィルムまたはシートをドライラミネートにより積層することで合成紙の厚みを抑え、尚且つ必要な剛性が得られるという知見から本考案をなすに至った。
すなわち、本考案は、
（１）表面にコロナ放電処理を施した合成樹脂製フィルムまたはシートに、炭酸カルシウムをはじめとする無機鉱物粉末を５５〜８５重量％含有した合成紙シートをドライラミネートにより積層したことを特徴とする園芸用ラベル、
（２）表面にインクジェットプリンター等での印刷が可能なコーティング層を設けた（１）記載の園芸用ラベル、を提供するものである。
【考案の効果】
【０００５】  本考案の園芸用ラベルは、構成の主要材である合成紙に炭酸カルシウムをはじめとする無機鉱物粉末が５５〜８５重量％含有されている。従って、従来の合成紙に比べて焼却時のＣＯ２の発生は極めて少ない。また、合成紙の表面に剛性の高い合成樹脂フィルムまたはシートを積層しているため合成紙の厚みをあまり上げることなく容器に差し込むことが容易であるため、加工的にも経済的にもメリットがある。さらに、表面にインクジェットプリンターなどに対応したコーティングを施した合成樹脂フィルムを積層すれば、小ロットでの生産に対応した園芸用ラベルを手軽に作成することができる。
【考案を実施するための最良の形態】
【０００６】  図１は、本考案の園芸用ラベルの一態様の断面図である。合成樹脂フィルム１は、表面にコロナ放電処理がなされたフィルムが使用されるが、合成紙以上の剛性を有するフィルムであれば特に制限はない。例えば、ポリエステルやポリスチレン、二軸延伸ポリプロピレンなどの中から適宜選択し、２０〜１００μｍの厚みの範囲のものを使用するのが好適である。積層方法は、ドライラミネートが最適であるが、感圧接着剤または熱圧着などにより貼り合わせても構わない。
合成紙は、炭酸カルシウムをはじめとした、硫酸カルシウム、硫酸バリウム、マイカ、シリカ、タルク、チョーク、珪藻土などの無機鉱物粉末およびそれらの混合物を５５〜８５重量％含んでおり、焼却時に燃焼された際も、少量の樹脂成分しか燃焼されないため従来の合成紙に比べてＣＯ２の発生は大きく削減される。合成紙の厚みについても特に制限はないが、１００〜２００μｍが好適である。一般的な合成紙製の園芸用ラベルには３００〜３５０μｍの合成紙が使用されることが多いが、これは現状の印刷技術において４００μｍを越える厚みの合成紙に直接印刷を施す印刷機が非常に少なく、印刷機の確保が困難であることが理由として挙げられる。しかし、本考案の園芸用ラベルの積層構造であれば、例えば、合成樹脂フィルムにポリエステル５０μｍを表裏に使用し、合成樹脂フィルムおよび合成紙の厚み合計が３００μｍ程度に積層した場合であっても従来の３５０μｍ厚の合成紙製園芸用ラベルに比べて剛性が高く、印刷可能な印刷機も確保が容易となる。
図例では、合成紙シート２を挟み込む形で２枚の合成樹脂フィルム１が積層された３層構造であるが、合成樹脂フィルムまたはシートと合成紙を１枚ずつ貼り合わせた２層構造でも構わない。【０００７】  図２は、本考案の園芸用ラベルを実際に植木鉢に差し込み使用した例の斜視図である。園芸用ラベルの形状は、三角形、くさび型など任意の形状でトムソン加工あるいは熱溶断打ち抜き加工などで形成されるが、本考案においては合成紙の材質および積層構造が特徴であり、ラベル自体の形状については特に制限はない。
合成樹脂フィルムの表面に施される印刷についても特に制限はなく、オフセット印刷、グラビア印刷、シルクスクリーン印刷、オフセットＵＶ印刷など公知の印刷技術を利用することができる。【０００８】  図３は、本考案の園芸用ラベルの別の態様の断面図である。商業印刷の多くは原紙のロットや加工効率のためにある程度の印刷量を必要としているものである。しかし、多品種小ロットに対応するには、インクジェットプリンターなどを利用する場合も考えられる。そこで、合成樹脂フィルムの表面にインクジェットプリンターなどでの印刷に対応できるよう、粗面化インキなどによるコーティングを施せば、商業用のインクジェットプリンターをはじめ、家庭のプリンターでも園芸用ラベルを作成することが可能となる。コーティングの方法としては、インクジェットプリンターに対応したコーティング剤をシルクスクリーン印刷、グラビア印刷などで塗布することが広く知られており、コーティング剤の種類および塗布の方法に制限はない。
【図面の簡単な説明】
【０００９】
【図１】本考案の園芸用ラベルの一態様の断面図である。
【図２】本考案の園芸用ラベルを、植木鉢に差し込んだ実施例の斜視図である。
【図３】本考案の園芸用ラベルの別の態様の断面図である。
【符号の説明】
【００１０】１  合成樹脂フィルム
２  合成紙
３  印刷用コーティング層
４  園芸用ラベル
【図１】
0003142341.tif 000003
【図２】
0003142341.tif 000004
【図３】
0003142341.tif 000005